(57)【特許請求の範囲】
【請求項１】
複数ページで構成されたコンテンツの１ページを表示画面に表示し、ユーザのページめくり操作に応じて、表示されるページが順次変わるように、上記表示画面に上記コンテンツの情報を主情報として表示する情報表示方法であって、
ユーザ操作検出部が、上記ページめくり操作を検出するステップと、
表示制御部が、
上記ページめくり操作の検出に応じて、表示中のページの少なくとも一部に、そのページの裏側の一部を同時に表示するステップと、
上記主情報との関連性には限定の無い付加的な情報を取得するステップと、
上記裏側の一部に、上記付加的な情報を表示するステップとを実行すること
を特徴とする情報表示方法。
【請求項２】
複数ページで構成されたコンテンツの１ページを表示画面に表示し、ユーザのページめくり操作に応じて、表示されるページが順次変わるように、上記表示画面に上記コンテンツの情報を主情報として表示する情報表示装置であって、
上記表示画面を備えた表示部と、
上記ページめくり操作を検出するユーザ操作検出手段と、
表示制御手段とを備え、
上記表示制御手段は、
上記ページめくり操作の検出に応じて、表示中のページの少なくとも一部に、そのページの裏側の一部を同時に表示するように、上記表示部を制御するステップと、
上記主情報との関連性には限定の無い付加的な情報を取得するステップと、
上記裏側の一部に、上記付加的な情報を表示するように、上記表示部を制御するステップとを実行すること
を特徴とする情報表示装置。
【請求項３】
上記表示制御手段は、ユーザのページめくり操作の進行に応じて、上記裏側の一部の表示面積を徐々に拡大するとともに、上記裏側の一部に表示する上記付加的な情報の表示サイズも、上記表示面積の拡大に連動して、徐々に拡大するように、上記表示部を制御すること
を特徴とする請求項２に記載の情報表示装置。
【請求項４】
上記表示制御手段は、ユーザのページめくり操作の進行に応じて、上記裏側の一部の表示面積を徐々に拡大するとともに、上記裏側の一部に表示する上記付加的な情報の表示量も、上記表示面積の拡大に連動して、徐々に増大するように、上記表示部を制御すること
を特徴とする請求項２に記載の情報表示装置。
【請求項５】
上記ユーザ操作検出手段が、上記ページめくり操作の進行中に、上記付加的な情報の表示を固定する上記ユーザの第１指示を検出すると、
上記表示制御手段は、上記第１指示の検出に応じて、上記裏側の一部の表示面積を拡大する処理を停止し、上記付加的な情報の表示を、変化させることなく持続させるように、上記表示部を制御すること
を特徴とする請求項２から４のいずれか１項に記載の情報表示装置。
【請求項６】
上記ユーザ操作検出手段が、表示中の上記付加的な情報を指定する上記ユーザの第２指示を検出すると、
上記表示制御手段は、上記第２指示の検出に応じて、表示中の上記付加的な情報にリンクした追加情報を取得し、取得した追加情報を上記表示画面に表示するように、上記表示部を制御すること
を特徴とする請求項２から５のいずれか１項に記載の情報表示装置。
【請求項７】
上記情報表示装置を統括的に制御する中央制御手段と、
上記情報表示装置が利用可能なアプリケーションを起動するアプリケーション制御手段とをさらに備え、
上記ユーザ操作検出手段が、表示中の上記付加的な情報を指定する上記ユーザの第２指示を検出すると、
上記表示制御手段は、上記第２指示の検出に応じて、表示中の上記付加的な情報を上記中央制御手段に通知し、
上記中央制御手段は、上記表示制御手段から通知された上記付加的な情報に対応付けられたアプリケーションを起動するように、上記アプリケーション制御手段に指令すること
を特徴とする請求項２から５のいずれか１項に記載の情報表示装置。
【請求項８】
上記ユーザに対する報知を行う報知部をさらに備え、
上記表示制御手段は、上記第１指示の検出に応じて、上記付加的な情報の表示を固定したことを上記報知部に通知する通知処理を行い、
上記報知部は、上記通知処理に応じて、上記付加的な情報の表示が固定されたことを上記ユーザに報知すること
を特徴とする請求項５に記載の情報表示装置。
【請求項９】
上記コンテンツのデータまたは上記付加的な情報のデータを格納する記憶部を備え、
上記コンテンツのデータまたは上記付加的な情報のデータには、上記情報表示装置が、外部のサーバ装置と通信を行う契機となる特定データが含まれており、
上記表示制御手段は、
上記コンテンツまたは上記付加的な情報の表示処理において、上記特定データを読み出し、上記サーバ装置と通信を行う一連の処理を開始し、
上記記憶部に記憶された上記付加的な情報に関連した新たな付加的な情報を、上記サーバ装置から取得し、
上記記憶部に記憶された上記付加的な情報を、上記新たな付加的な情報によって置き換えること
を特徴とする請求項２から８のいずれか１項に記載の情報表示装置。
【請求項１０】
上記特定データは、上記付加的な情報を表示する期限を示す情報を含み、
上記表示制御手段は、上記期限を示す情報を用いて、上記付加的な情報を表示する期限が満了しているか否かを判定し、
満了している場合に、上記情報表示装置と上記サーバ装置との通信が実行されること
を特徴とする請求項９に記載の情報表示装置。
【請求項１１】
請求項２から１０のいずれか１項に記載の情報表示装置に備えられた各手段として、コンピュータを機能させること
を特徴とする情報表示プログラム。
【請求項１２】
請求項１１に記載の情報表示プログラムを格納したこと
を特徴とするコンピュータ読取可能な記録媒体。
【発明の詳細な説明】
【技術分野】
【０００１】
本発明は、電子書籍のような主情報と、広告のような付加的な情報とを、表示画面に表示するときの表示形態を制御する情報表示技術に関するものである。
【背景技術】
【０００２】
近年、電話機、ゲーム機、テレビ、電子ＢＯＯＫ、インターネットブラウザなどの多機能に対応可能な携帯型情報処理装置の進展が著しい。
【０００３】
下掲の特許文献１から５は、電子書籍のようなコンテンツを情報処理装置の表示画面に表示するときに、広告を併せて表示することができる方法または装置を開示している。
【０００４】
中でも、特許文献１から４には、インターネットからダウンロードされたコンテンツが、開いた本のように２ページで表示される場合に、一方のページまたは両方のページを広告が占めるように、広告データをコンテンツデータ中に挿入することが開示されている。
【０００５】
また、特許文献１から５には、コンテンツの表示領域中の一部の領域に、広告を挿入して表示することが開示されている。
【先行技術文献】
【特許文献】
【０００６】
【特許文献１】特開２００５−２８５１３４号（２００５年１０月１３日公開）
【特許文献２】特開２００６−２７７７６４号（２００６年１０月１２日公開）
【特許文献３】特開２００６−３５０３３１号（２００６年１２月２８日公開）
【特許文献４】特開２００８−１３４６３３号（２００８年０６月１２日公開）
【特許文献５】特開２０１１−１２３７８６号（２０１１年０６月２３日公開）
【発明の概要】
【発明が解決しようとする課題】
【０００７】
しかしながら、複数ページで構成されたコンテンツをユーザが１ページずつ閲覧する場合に、１ないし複数ページの広告がコンテンツ中に挿入されていると、ユーザは、常に、大量の広告を強制的に閲覧させられるという問題、あるいは、その広告を無視するとしても、広告のページを飛ばす処理を強いられるという問題がある。
【０００８】
また、コンテンツの表示領域中の一部の領域に、広告を挿入して表示する形態では、広告の表示を邪魔に感じるユーザもいるという問題、あるいは、コンテンツの表示領域が広告によって狭まるので、１画面あたりのコンテンツの表示量が減るという問題が生ずる。
【０００９】
例えば、図１０は、携帯型の情報表示装置１００におけるコンテンツの表示領域の一部に、広告を常時表示する例を示している。ユーザは、表示画面１０１に指でタッチして、その指を表示画面１０１上でスライドさせることによって、ページめくり操作を行うことができるとする。
【００１０】
このページめくり操作により、図１０の（ａ）〜（ｃ）に示すように、あるページの表示状態（ａ）は、裏側のページの一部が同時に表示された状態（ｂ）を経て、次のページを表示した状態（ｃ）へと遷移する。なお、広告Ａ，Ｂは、表示ページが遷移したことを明示するために、便宜的に付した記号に過ぎない。
【００１１】
図１０に示すような手のひらサイズの情報処理装置のように、表示画面が小さいほど、コンテンツの表示にとって広告の表示が邪魔になるという上記問題、およびコンテンツの表示量が減るという上記問題は大きくなる。
【００１２】
また、コンテンツの表示領域中の一部の領域に、広告を常時挿入して表示し続ける場合には、ユーザの注意を広告に惹きつける心理的効果が、時間の経過とともに弱まるという問題も生じる。
【００１３】
本発明は、上記の問題点に鑑みてなされたものであり、その主たる目的は、主情報としてのコンテンツの表示をできるだけ妨げないように、広告のような付加的な情報を表示する表示制御技術を提供することにある。
【課題を解決するための手段】
【００１４】
本発明の情報表示方法は、上記の課題を解決するために、
(1)複数ページで構成されたコンテンツの１ページを表示画面に表示し、ユーザのページめくり操作に応じて、表示されるページが順次変わるように、上記表示画面に上記コンテンツの情報を主情報として表示する情報表示方法であって、
(2)ユーザ操作検出部が、上記ページめくり操作を検出するステップと、
(3)表示制御部が、
(3-1)上記ページめくり操作の検出に応じて、表示中のページの少なくとも一部に、そのページの裏側の一部を同時に表示するステップと、
(3-2)上記主情報との関連性には限定の無い付加的な情報を取得するステップと、
(3-3)上記裏側の一部に、上記付加的な情報を表示するステップとを実行することを特徴とする。
【００１５】
上記の方法によれば、ユーザがページめくり操作を行うと、あたかも現実の書籍のページをめくるかのように、ページの裏側の一部が、ページの表側と同時に表示画面に表示される。
【００１６】
このページの裏側の一部は、従来、単なる空白領域に過ぎなかった。しかし、本発明によれば、ページの裏側の一部に、付加的な情報を表示するので、ページの裏側の一部を有効利用することができる。
【００１７】
言い換えると、上記主情報の上に、付加的な情報を重ねて表示することにより、主情報が付加的な情報によって隠れてしまうという問題を回避できる。あるいは、付加的な情報を表示するために、上記表示画面における上記主情報のレイアウトを再構成するという余計な処理を回避できる。あるいは、１ないし複数ページの付加的な情報がコンテンツ中に挿入されている場合に、ユーザは、常に、大量の付加的な情報を強制的に閲覧させられるという問題、あるいは、その大量の情報を無視するとしても、ページを飛ばす処理を強いられるという問題を解消することができる。
【００１８】
さらに、ページめくり時以外では、付加的な情報は表示されないので、付加的な情報の表示を邪魔に感じるユーザもいるという問題、あるいは、１画面あたりのコンテンツの表示量が減るという問題を解消することができる。その上、付加的な情報の提示の仕方が、従来には例の無い斬新な表示方法なので、ユーザの注意を強く惹くこともできる。
【００１９】
なお、上記付加的な情報の一例は、広告情報である。広告情報は、上記主情報と関連性を持っていてもよいし、無関係でもよい。また、上記付加的な情報の他の例は、上記主情報に関係のある補足的情報そのものであってもよい。あるいは、その補足的情報にアクセスするための案内情報、上記広告情報を補足する詳細広告情報にアクセスするための案内情報などでもよい。
【００２０】
また、上記裏側の一部に表示する情報は、１種類とは限らず、２種類以上であってもよい。
【００２１】
本発明に係る情報表示装置は、上記の課題を解決するために、
(1)複数ページで構成されたコンテンツの１ページを表示画面に表示し、ユーザのページめくり操作に応じて、表示されるページが順次変わるように、上記表示画面に上記コンテンツの情報を主情報として表示する情報表示装置であって、
(2)上記表示画面を備えた表示部と、
(3)上記ページめくり操作を検出するユーザ操作検出手段と、
(4)表示制御手段とを備え、
(5)上記表示制御手段は、
(5-1)上記ページめくり操作の検出に応じて、表示中のページの少なくとも一部に、そのページの裏側の一部を同時に表示するように、上記表示部を制御するステップと、
(5-2)上記主情報との関連性には限定の無い付加的な情報を取得するステップと、
(5-3)上記裏側の一部に、上記付加的な情報を表示するように、上記表示部を制御するステップとを実行することを特徴とする。
【００２２】
上記の構成により、情報表示方法について既に説明した作用効果を同様に得ることができる。
【００２３】
なお、上記付加的な情報は、情報表示装置に内蔵された記憶部に格納され、上記表示制御手段は、その記憶部から上記付加的な情報を取得してもよい。また、上記付加的な情報は、ネットワークに接続された情報提示装置に格納された情報にアクセスするための情報であってもよい。この場合には、上記表示制御手段は、情報表示装置に内蔵された通信処理部を介して、上記情報提示装置から受信した情報を取得することができる。
【００２４】
本発明に係る情報表示装置の上記表示制御手段は、ユーザのページめくり操作の進行に応じて、上記裏側の一部の表示面積を徐々に拡大するとともに、上記裏側の一部に表示する上記付加的な情報の表示サイズも、上記表示面積の拡大に連動して、徐々に拡大するように、上記表示部を制御することを特徴とする。
【００２５】
上記の構成によれば、ユーザのページめくり操作の進行に応じて、上記付加的な情報の表示サイズが徐々に拡大するので、その表示の変化が、ユーザの注意を惹く効果をさらに高めることができる。
【００２６】
本発明に係る情報表示装置の上記表示制御手段は、ユーザのページめくり操作の進行に応じて、上記裏側の一部の表示面積を徐々に拡大するとともに、上記裏側の一部に表示する上記付加的な情報の表示量も、上記表示面積の拡大に連動して、徐々に増大するように、上記表示部を制御することを特徴とする。
【００２７】
上記の構成によれば、ユーザのページめくり操作の進行に応じて、上記付加的な情報の表示量が徐々に増大するので、初めは見えなかった情報が徐々に見えてくるという表示の変化が、ユーザの注意を惹く効果をさらに高めることができる。
【００２８】
本発明に係る情報表示装置において、
(1)上記ユーザ操作検出手段が、上記ページめくり操作の進行中に、上記付加的な情報の表示を固定する上記ユーザの第１指示を検出すると、
(2)上記表示制御手段は、上記第１指示の検出に応じて、上記裏側の一部の表示面積を拡大する処理を停止し、上記付加的な情報の表示を、変化させることなく持続させるように、上記表示部を制御することを特徴とする。
【００２９】
上記の構成において、上記第１指示には、例えば、上記表示画面にタッチしたユーザの指のスライドを止めること、あるいは、そのスライド中に、ユーザの指で上記表示画面を垂直にフリップする（とんと叩く）ことが含まれる。
【００３０】
ただし、上記第１指示の態様は、これらに限定されない。例えば、上記表示画面に表示された上記第１指示を入力するためのソフトキー、または情報表示装置に設けた上記第１指示を入力するためのハードキーを介して、上記第１指示を入力してもよい。
【００３１】
上記の構成によれば、ユーザが、上記裏側の一部に表示された上記付加的な情報に興味を惹かれた場合などに、ページめくりの進行を一時停止させ、上記付加的な情報を充分に確認することができる。
【００３２】
本発明に係る情報表示装置において、
(1)上記ユーザ操作検出手段が、表示中の上記付加的な情報を指定する上記ユーザの第２指示を検出すると、
(2)上記表示制御手段は、上記第２指示の検出に応じて、表示中の上記付加的な情報にリンクした追加情報を取得し、取得した追加情報を上記表示画面に表示するように、上記表示部を制御することを特徴とする。
【００３３】
上記の構成において、上記第２指示の典型例は、上記付加的な情報が表示されている表示画面の領域を、ユーザが指でタッチすることであるが、この形態に限定されない。すなわち、表示中の上記付加的な情報を指定するユーザのあらゆる入力操作を、第２指示として採用できる。例えば、上記付加的な情報に含まれた文字情報をユーザが発音することによる音声入力を第２指示の一形態としてもよい。
【００３４】
また、ユーザが上記第２指示を与える上記付加的な情報は、ページめくり操作に連動して、表示サイズまたは表示量を変化させている表示状態であってもよいし、上述した第１指示による固定的な表示状態であってもよい。
【００３５】
上記の構成によれば、ユーザが、上記裏側の一部に表示された上記付加的な情報に興味を惹かれた場合などに、上記付加的な情報を指定することによって、追加情報を確認することができる。
【００３６】
上記追加情報は、上記付加的な情報の内容を補充する情報でもよい。この場合、ユーザは、上記付加的な情報に関係した詳細な情報を確認することができる。したがって、上記付加的な情報は、ユーザを詳細な情報へと誘導する案内情報の役割を果たしているともいえる。
【００３７】
また、上記追加情報は、上記付加的な情報に何らかの関連性を有した情報でもよい。この場合、ユーザは、上記付加的な情報に類似した情報を確認できることにとどまらず、追加情報に対するリンクの貼り方によって、想定外の新たな情報を確認することもできる。
【００３８】
本発明に係る情報表示装置は、
(1)上記情報表示装置を統括的に制御する中央制御手段と、
(2)上記情報表示装置が利用可能なアプリケーションを起動するアプリケーション制御手段とをさらに備え、
(3)上記ユーザ操作検出手段が、表示中の上記付加的な情報を指定する上記ユーザの第２指示を検出すると、
(4)上記表示制御手段は、上記第２指示の検出に応じて、表示中の上記付加的な情報を上記中央制御手段に通知し、
(5)上記中央制御手段は、上記表示制御手段から通知された上記付加的な情報に対応付けられたアプリケーションを起動するように、上記アプリケーション制御手段に指令することを特徴とする。
【００３９】
上記の構成によれば、既に説明したユーザの第２指示をユーザ操作検出手段が検出すると、表示制御手段は、上記第２指示によって特定された付加的な情報を中央制御手段に通知する。なお、表示制御手段と中央制御手段とを、同一の手段として構成してもよい。
【００４０】
付加的な情報とアプリケーションとを対応付けた情報は、例えば、情報表示装置が内蔵した記憶装置、または情報表示装置に接続された記憶装置に格納されている。
【００４１】
アプリケーション制御手段は、中央制御手段からの指示に基づき、ユーザが特定した付加的な情報に対応するアプリケーションを起動する。このアプリケーションは、上記記憶装置に記憶されたソフトウェアによって動作する形態でもよいし、ウェブブラウザを起動し、上記付加的な情報にリンクしたウェブサイトを閲覧したり、そのウェブサイトから必要な情報をダウンロードして、上記表示画面に表示する、あるいは上記情報表示装置から音声出力するなどの形態でもよい。
【００４２】
本発明に係る情報表示装置は、
(1)上記ユーザに対する報知を行う報知部をさらに備え、
(2)上記表示制御手段は、上記第１指示の検出に応じて、上記付加的な情報の表示を固定したことを上記報知部に通知する通知処理を行い、
(3)上記報知部は、上記通知処理に応じて、上記付加的な情報の表示が固定されたことを上記ユーザに報知することを特徴とする。
【００４３】
上記の構成によれば、報知部による報知によって、ユーザは、付加的な情報の表示が固定されたこと、すなわち付加的な情報の表示が変化せずに持続する表示状態になったことを容易に確認することができる。
【００４４】
特に、上記第１指示が、上記表示画面にタッチしたユーザの指のスライドを止めることである場合に、表示状態の遷移（非固定状態から固定状態への変化）を、ユーザは容易に確認することができる。
【００４５】
なお、報知の形態は、多様な形態から選択できる。例えば、付加的な情報の表示を点滅させたり、色またはコントラストを変えたりする視覚的手段、バイブレータの振動、スピーカーの確認音を発生させる聴覚的手段などを採用することができる。
【００４６】
本発明に係る情報表示装置は、
(1)上記コンテンツのデータまたは上記付加的な情報のデータを格納する記憶部を備え、
(2)上記コンテンツのデータまたは上記付加的な情報のデータには、上記情報表示装置が、外部のサーバ装置と通信を行う契機となる特定データが含まれており、
(3)上記表示制御手段は、
(3-1)上記コンテンツまたは上記付加的な情報の表示処理において、上記特定データを読み出し、上記サーバ装置と通信を行う一連の処理を開始し、
(3-2)上記記憶部に記憶された上記付加的な情報に関連した新たな付加的な情報を、上記サーバ装置から取得し、
(3-3)上記記憶部に記憶された上記付加的な情報を、上記新たな付加的な情報によって置き換えることを特徴とする。
【００４７】
上記の構成によれば、コンテンツのデータまたは付加的な情報のデータに含まれた特定データに応じて、上記サーバ装置と通信を行う一連の処理が開始され、記憶部に記憶された付加的な情報をリフレッシュすることができる。
【００４８】
これにより、情報表示装置とサーバ装置とが連携して、ユーザに対し、適宜更新された付加的な情報を提示することができる。
【００４９】
なお、上記情報表示装置が、上記サーバ装置と通信を行う一連の処理には、後述するように、付加的な情報の表示期限を確認する処理なども含んでいる。
【００５０】
また、上記特定データは、後述する表示期限を示すデータのほか、例えば、広告情報の提供元のウェブサイトを示すアドレスデータおよび取得済みの広告情報の日付より新しい広告情報を要求する指示データなどでもよい。
【００５１】
本発明に係る情報表示装置において、
(1)上記特定データは、上記付加的な情報を表示する期限を示す情報を含み、
(2)上記表示制御手段は、上記期限を示す情報を用いて、上記付加的な情報を表示する期限が満了しているか否かを判定し、
(3)満了している場合に、上記情報表示装置と上記サーバ装置との通信が実行されることを特徴とする。
【００５２】
上記の構成によれば、表示期限を超えると意味が無くなる付加的な情報（期間限定のキャンペーンなど）を適宜更新できるので、ユーザの利便性を向上させることができる。
【００５３】
上記いずれかの情報表示装置に備えられた各手段として、コンピュータを機能させることを特徴とする情報表示プログラム、およびこの情報表示プログラムを格納したことを特徴とするコンピュータ読取可能な記録媒体も、本発明の範疇に含まれる。
【発明の効果】
【００５４】
本発明に係る情報表示方法または情報表示装置は、以上のように、ユーザのページめくり操作に応じて、ページの裏側の一部が、ページの表側と同時に表示画面に表示される場合に、主情報との関連性には限定の無い付加的な情報を、上記裏側の一部に表示することを特徴としている。
【００５５】
それゆえ、従来、単なる空白領域に過ぎなかったページの裏側の一部を有効に利用し、主情報の表示をできるだけ妨げないように、付加的な情報を表示することができるという効果を奏する。
【図面の簡単な説明】
【００５６】
【図１】本実施形態に係る情報表示装置において、広告のような付加的な情報の表示の仕方を示す説明図である。
【図２】図１に示す表示例に対応しており、付加的な情報の表示手順を概要的に示すフローチャートである。
【図３】情報サーバとネットワークシステムを構成した情報表示装置の機能的な構成を示すブロック図である。
【図４】本実施形態に係る情報表示方法の詳細な一例を示す説明図である。
【図５】付加的な情報の他の表示例を示す説明図である。
【図６】付加的な情報のさらに他の表示例を示す説明図である。
【図７】本実施形態に係る情報表示方法の詳細な手順の一例を示すフローチャートである。
【図８】付加的な情報の表示処理の詳細な手順の一例を示すフローチャートであり、図７のＳ１１で行われる処理の詳細を示している。
【図９】本実施形態に係る情報表示方法の詳細な他の例を示す説明図である。
【図１０】携帯型の情報表示装置におけるコンテンツの表示領域の一部に、広告を常時表示する例を示す説明図である。
【発明を実施するための形態】
【００５７】
初めに、本発明に係る情報表示方法の概要と、その前提となる主情報としてのコンテンツ、付加的な情報およびページめくり操作について、図１および図２に基づいて具体的に説明する。
【００５８】
（コンテンツについて）
図１は、本実施形態に係る情報表示装置１において、広告のような付加的な情報の表示の仕方を示す説明図である。また、図２は、図１に示す表示例に対応しており、付加的な情報の表示手順を概要的に示すフローチャートである。
【００５９】
図１の（ａ）に示すように、情報表示装置１は、文書および静止画の少なくとも一方を含むコンテンツ、または、静止画および動画の少なくとも一方と文書との組み合わせを含むコンテンツなどを、主情報として表示する表示画面２を備えている。
【００６０】
なお、上記コンテンツは、複数ページで構成されていればよく、情報の内容に制限は無い。例えば、コンテンツが動画のみで構成されている場合であって、その動画が複数のシーン（場面）で構成されている場合、以下で説明するページめくり操作によって、表示中のシーンが、次のシーンに変わるように表示することができる。
【００６１】
（付加的な情報について）
上記付加的な情報の一例は、広告情報である。広告情報は、上記コンテンツの内容と関連性を持っていてもよいし、無関係でもよい。テレビ放送で視聴されるコマーシャルのように、コンテンツの提供者自身の宣伝、またはその提供者が販売している商品の宣伝などは、コンテンツの内容と無関係な付加的な情報の一例である。
【００６２】
また、上記付加的な情報の他の例は、上記コンテンツに関係のある補足的情報そのものであってもよい。例えば、コンテンツ中に登場した人物、品物または場所の拡大画像、あるいは、その人物、品物または場所に関する説明情報、あるいは、コンテンツの作者の紹介、あるいは、より詳しい補足的情報にアクセスするための案内情報などを付加的な情報として表示してもよい。
【００６３】
（ページめくり操作について）
上記ページめくり操作の一例は、図１の（ｂ）（ｃ）に示すように、ユーザが指で表示画面２にタッチしながら、表示画面２の右側から左側へ、指をスライドさせる操作（順送り）である。しかし、これに限らず、表示画面２の片隅に表示された「ページめくりを指示するためのソフトキー」を介した操作、あるいは、情報表示装置１のフレームに設けられたボタンのようなハードキーを介した操作を、ページめくり操作として採用しても構わない。
【００６４】
また、表示画面２の左側から右側へ、指をスライドさせる操作によって、前のページに戻る操作（逆送り）も上記ページめくり操作に含まれる。この場合には、図１の（ｂ）と異なり、表示画面２の左隅に、表示中のページの裏側の一部が表示される。なお、裏側の一部に付加的な情報を表示する以下の説明は、順送りのページめくりについて説明するが、逆送りのページめくりについても同様の処理が行われる。
【００６５】
（情報表示手順の概要）
次に、情報表示装置１が、付加的な情報を表示する表示形態の流れについて説明する。
【００６６】
図２に示すように、ユーザが指を用いたページめくり操作をすると、後述するように、ページめくり操作が検出される（ステップ１；以下、Ｓ１と略記する）。
【００６７】
このページめくり操作の検出に応じて、図１の（ｂ）に示すように、あたかも現実の書籍のページをめくるかのように、表示画面２に表示中のページの少なくとも一部に、そのページの裏側の一部が同時に表示され、その裏側の一部に、付加的な情報が表示される（Ｓ２）。
【００６８】
図１の（ｃ）に示すように、上記ページめくり操作の進行とともに、上記裏側の一部の表示面積は徐々に拡大される。これに伴って、後述するように、付加的な情報の表示量または表示サイズが増加する。
【００６９】
ページめくり操作が完結する（Ｓ３）と、図１の（ｄ）に示すように、次のページが表示され（Ｓ４）、同時に、付加的な情報の表示が終了する。
【００７０】
ページめくり操作を繰り返すごとに、上記と同様に、ページの裏側の一部に付加的な情報が表示される。ページめくり操作を繰り返すごとに、同じ内容の付加的な情報を、繰り返して表示してもよいし、所定のページ数ごとに、付加的な情報の内容を切り換えてもよい。また、表示されたページの内容に対応付けられた付加的な情報を表示し、コンテンツの内容が変わるごとに、その内容に合わせて付加的な情報も切り替わるように表示してもよい。
【００７１】
上記の情報表示方法によれば、従来、単なる空白領域に過ぎなかったページの裏側の一部を有効に利用することができる。
【００７２】
言い換えると、コンテンツの上に、付加的な情報を重ねて表示することにより、コンテンツが付加的な情報によって隠れてしまうという問題を回避できる。あるいは、付加的な情報を表示するために、上記表示画面２におけるコンテンツのレイアウトを再構成するという余計な処理を回避できる。あるいは、１ないし複数ページの付加的な情報がコンテンツ中に挿入されている場合に、ユーザは、常に、大量の付加的な情報を強制的に閲覧させられるという問題、あるいは、その大量の情報を無視するとしても、ページを飛ばす処理を強いられるという問題を解消することができる。
【００７３】
さらに、ページめくり時以外では、付加的な情報は表示されないので、付加的な情報の表示を邪魔に感じるユーザもいるという問題、あるいは、１画面あたりのコンテンツの表示量が減るという問題を解消することができる。その上、付加的な情報の提示の仕方が、従来には例の無い斬新な表示方法なので、ユーザの注意を強く惹くこともできる。
【００７４】
（情報表示装置の構成）
続いて、上記情報表示装置１が、上記情報表示方法を実行するために備えている構成について説明する。図３は、情報サーバ４０（サーバ装置）とともにネットワークシステムを構成した情報表示装置１の機能的な構成を示すブロック図である。
【００７５】
図３に示すように、情報表示装置１が付加的な情報を外部装置から取得することができるように、情報表示装置１は、ネットワーク３０を介して、外部装置としての情報サーバ４０と通信を行うようになっている。
【００７６】
情報表示装置１は、演算処理部１０、上記表示画面２を含む表示部２１、通信制御部２２、タッチパネルを含む入力部２３、音声入力部２４、データ記憶部２５、およびスピーカまたはバイブレーションを含む報知部２６を備えている。
【００７７】
上記演算処理部１０は、中央制御手段１１、表示データ生成手段１２、表示制御手段１３（表示制御部）、アプリケーション制御手段１４、およびユーザ操作検出手段１５（ユーザ操作検出部）を備えている。
【００７８】
中央制御手段１１は、データ記憶部２５の非一時的な記憶領域に記憶された情報表示プログラムを読み出して、上記情報表示方法に関わる各手段１２〜１５および各部２１〜２６を統括的かつ有機的に制御する。
【００７９】
上記表示データ生成手段１２は、中央制御手段１１または表示制御手段１３からの指示を受けて、コンテンツおよび付加的な情報をデータ記憶部２５の一時的な記憶領域から読み出して、表示部２１に表示するための表示データを作成する。ユーザがページめくり操作を行ったときには、表示データ生成手段１２は、ページめくり操作の進行に応じたページの裏側の一部および付加的な情報の表示データを生成する。この処理の詳細については後述する。
【００８０】
データ記憶部２５に一時的に記憶されるコンテンツおよび付加的な情報の取得経路は、多様であってよい。例えば、通信制御部２２をネットワーク３０に接続し、情報サーバ４０からコンテンツおよび付加的な情報を受信してもよいし、情報表示装置１に脱着可能な各種記憶媒体からコンテンツおよび付加的な情報を読み込んでもよい。
【００８１】
上記表示制御手段１３は、表示データ生成手段１２が生成した表示データに基づいて、図１を参照して説明した情報表示が行われるように、表示部２１を制御する。
【００８２】
上記アプリケーション制御手段１４は、ページの裏側の一部に表示された付加的な情報にリンクしたアプリケーションを、中央制御手段１１または表示制御手段１３からの指示に従って、起動する。中央制御手段１１は、起動されたアプリケーションのプログラムに従って、表示部１２または報知部２６を介した出力、あるいは通信制御部２２を介した通信などを制御する。
【００８３】
上記ユーザ操作検出手段１５は、上記入力部２３または音声入力部２４からのユーザ入力を検出し、生成した検出信号を中央制御手段１１または表示制御手段１３に送る。
【００８４】
一方、上記情報サーバ４０は、複数のコンテンツおよび複数の付加的な情報を提供する。また、情報サーバ４０は、付加的な情報を提供する構成として、被挿入情報蓄積部４１および被挿入情報発信部４２を備えている。
【００８５】
コンテンツについては、ユーザが希望するコンテンツを指定する情報表示装置１からの要求に応じるように、情報サーバ４０がコンテンツを選択して情報表示装置１へ送信するのが一般的である。また、いうまでもなく、情報サーバ４０が他の情報サーバと通信を行って、他の情報サーバからコンテンツを取得してもよい。
【００８６】
付加的な情報については、コンテンツの提供者または作成者、あるいは情報サーバの管理者などの意図によってその内容が決定され、コンテンツに関係する付加的な情報、またはコンテンツに無関係な付加的な情報が、上記被挿入情報蓄積部４１に格納されている。また、ある付加的な情報を補足する追加情報、ある付加的な情報が案内情報となって呼び出される追加情報なども被挿入情報蓄積部４１に格納されていてもよい。このような追加情報は、ユーザが表示画面２で確認した付加的な情報を見て、さらに追加情報の取得をユーザが指示した場合に、情報サーバ４０から送出される。
【００８７】
上記被挿入情報発信部４２は、提供するコンテンツに付加的な情報を埋め込む処理を行い、加工したコンテンツを発信してもよいし、コンテンツが情報サーバ４０から発信されるときに、並行して、付加的な情報を発信するようにしてもよい。
【００８８】
なお、情報サーバ４０は、コンテンツの内容とは無関係な広告情報を随時発信してもよい。広告情報の発信のタイミングは、広告情報の提供者が任意に定めることができる。
【００８９】
コンテンツに付加的な情報を埋め込む形態の場合、コンテンツを再生する前に、付加的な情報が再生されるように、付加的な情報を埋め込んでもよいし、コンテンツの再生途中または再生終了後に、付加的な情報が再生されるように、付加的な情報を埋め込んでもよい。さらに、コンテンツを構成するページ毎、あるいは所定のページ数毎に、異なる付加的な情報を埋め込んでもよい。
【００９０】
（データベースの一例）
付加的な情報は、表示画面２に表示するコンテンツとは無関係に、情報表示装置１内の上記データ記憶部２５、または情報サーバ４０から取得されてもよいが、コンテンツと対応づけて取得されてもよい。付加的な情報がコンテンツと対応づけて取得される形態では、付加的な情報とコンテンツと対応づけたデータベースが、上記データ記憶部２５または情報サーバ４０の上記被挿入情報蓄積部４１などに構築されている。
【００９１】
そのようなデータベースの一例を下記の表１および表２に示す。
【００９２】
【表１】
0005813486.tif 000002
【００９３】
【表２】
0005813486.tif 000003
【００９４】
表１および表２は、付加的な情報とコンテンツとを、キーワードによって対応づけたデータベースの例を示している。
【００９５】
表１に示すように、コンテンツを特定する識別情報（例えばコンテンツ名）と、そのコンテンツに含まれたキーワードとがテーブル形式で対応付けられている。キーワードは、１つのコンテンツについて、少なくとも１つ対応付けられている。より好ましくは、表１に示すように、１つのコンテンツについて複数のキーワード１・２・３を対応付けておけば、各キーワードごとに異なる付加的な情報を対応付けることによって、表示画面２に表示する付加的な情報のヴァリエーションを豊富化することができる。
【００９６】
また、表２に示すように、付加的な情報を特定する識別情報（例えば付加情報名）と表１に示したキーワードとがテーブル形式で対応付けられている。なお、コンテンツおよび付加的な情報を特定する各識別情報は、コンテンツおよび付加的な情報が記憶された各記憶領域のアドレス情報でもよい。
【００９７】
上記データベースを用いた付加的な情報の表示方法については、後述する。
【００９８】
（情報表示方法の詳細例）
上述した情報表示装置１が実行する情報表示方法の詳細な一例を、図４〜図９に基づいて以下に説明する。
【００９９】
図４は、本実施形態に係る情報表示方法の詳細な一例を示す説明図である。図５は、付加的な情報の他の表示例を示す説明図であり、図６は、付加的な情報のさらに他の表示例を示す説明図である。図７は、本実施形態に係る情報表示方法の詳細な手順の一例を示すフローチャートであり、図８は、付加的な情報の表示処理の詳細な手順の一例を示すフローチャートであり、図７のＳ１１で行われる処理の詳細を示している。図９は、本実施形態に係る情報表示方法の詳細な他の例を示す説明図である。
【０１００】
まず、図４の（ａ）に示すように、上記表示画面２にコンテンツが表示されている。そのコンテンツには、「Ｄｏ  ｙｏｕ  ｈａｖｅ  ａ  ｃａｒ？」という一文が含まれているとする。
【０１０１】
（ページめくり操作）
図７のＳ１１として、図４の（ｂ）に示すように、ユーザが指で表示画面２にタッチしながら、矢印Ｚで示すように、表示画面２上で指をスライドさせると、ユーザ操作検出手段１５がページめくり操作が行われたことを検出する。
【０１０２】
その検出結果を示す検出信号は、ユーザ操作検出手段１５から、表示制御手段１３へ送られる。なお、表示制御手段１３の以下の処理を中央制御手段１１が代わりに行うとしてもよい。
【０１０３】
（付加的な情報の表示モード）
次に、表示制御手段１３は、上記検出信号に応じて、付加的な情報の表示モードが、拡大表示モードに設定されているか、順次表示モードに設定されているかを確認する（図８のＳ１１１）。なお、付加的な情報の表示モードは、上記いずれかのモードにデフォルトとして初期設定され、ユーザが入力部２３を介して初期設定を変更できるようにしてもよい。また、コンテンツのデータ中に設定されたパラメータに従って、付加的な情報の表示モードが適宜変更されるようにすることもできる。上記パラメータは、コンテンツの作成者の意図を反映するように、設定されてもよい。
【０１０４】
上記拡大表示モードとは、図４の（ｂ）（ｃ）に示すように、ページめくり操作の進行に伴う裏側ページの表示面積の拡大とともに、裏側ページに表示する付加的な情報Ａの表示サイズを小から大へと変化させるモードである。この拡大表示モードでは、付加的な情報Ａの全体が常に表示されることになる。この表示サイズの変化は、ユーザの注意を惹きつける効果を生む。
【０１０５】
また、上記順次表示モードとは、図４の（ｅ）（ｆ）に示すように、ページめくり操作の進行に伴う裏側ページの表示面積の拡大とともに、裏側ページに表示する付加的な情報Ａの表示量を徐々に増やすモードである。この順次表示モードの場合、ページめくり操作の初期段階では、付加的な情報Ａの一部のみが表示され、ページめくり操作の最終段階が近づくと、付加的な情報Ａの全体が表示されることになる。この表示量の変化もまた、ユーザの注意を惹きつける効果を生む。
【０１０６】
（付加的な情報の表示処理）
次に、図８のＳ１１１にて、付加的な情報の表示モードが拡大表示モードに設定されていることを、表示制御手段１３が確認すると、表示制御手段１３は、表示データ生成手段１２に対して、拡大表示モードに応じた付加的な情報の表示データ生成を指示する（Ｓ１１２）。一方、Ｓ１１１にて、付加的な情報の表示モードが順次表示モードに設定されていることを、表示制御手段１３が確認すると、表示制御手段１３は、表示データ生成手段１２に対して、順次表示モードに応じた付加的な情報の表示データ生成を指示する（Ｓ１１３）。
【０１０７】
続いて、表示制御手段１３は、ユーザ操作検出手段１５からの検出信号から表示画面２上の指の位置情報を取得し、その位置情報の変化から、表示画面２上で指が移動した距離を求める（Ｓ１１４）。表示制御手段１３は、求めた指の移動距離の情報を表示データ生成手段１２に与える。表示データ生成手段１２は、付加的な情報の表示モードと指の移動距離とに基づいて、裏側のページの表示面積、および裏側のページに表示する付加的な情報の表示サイズまたは表示量を決定し、適切な表示位置を併せて決定する（Ｓ１１５）。
【０１０８】
こうして、表示データ生成手段１２が生成した表示データに基づいて、表示制御手段１３は、図４の（ｂ）（ｃ）または（ｅ）（ｆ）に示す表示を行うように、表示部２１を制御する（Ｓ１２）。
【０１０９】
ページめくり操作が完了すると、表示画面２の表示は、次のページの内容に切り替わり、付加的な情報は表示されない状態になる。
【０１１０】
付加的な情報は、「Ｄｏ  ｙｏｕ  ｈａｖｅ  ａ  ｃａｒ？」という一文を含んだコンテンツとは無関係な広告情報などであってもよいが、例えば「ｃａｒ」という語句に関連のある情報であってもよい。そのような情報の例として、自動車のディーラーの宣伝情報、中古車センターの宣伝情報、燃費向上策に関する詳細情報へ案内する情報、あるいは日帰りドライブコースを紹介する詳細情報へ案内する情報などを挙げることができる。
【０１１１】
また、表示中のコンテンツが電子カタログである場合、ユーザの決裁を促す情報なども、コンテンツの内容に対応付けられた付加的な情報の一例である。
【０１１２】
（付加的な情報の表示処理の具体例）
ここで、前記表１および表２に示すデータベースを用いた付加的な情報の表示処理の具体例を説明する。
【０１１３】
例えば、ユーザが、表示画面２に呼び出すコンテンツとして「車雑誌ＡＡＡ」を、入力部２３を介して指定したとする。その指定は、ユーザ操作検出手段１５から表示制御手段１３（または中央制御手段１１）に送られる。続いて、表示制御手段１３は、データ記憶部２５に格納された「車雑誌ＡＡＡ」のデータを読み出し、表示データ生成手段１２に送るとともに、データ記憶部２５に格納された表１に示すデータベース（コンテンツ・キーワード対応テーブル）にアクセスし、「車雑誌ＡＡＡ」に対応付けられたキーワードを読み出す。
【０１１４】
次に、表示制御手段１３は、データ記憶部２５に格納された表２に示すデータベース（付加情報・キーワード対応テーブル）にアクセスし、コンテンツ・キーワード対応テーブルから読み出したキーワードに対応付けられた付加情報の識別情報を読み出す。そして、表示制御手段１３は、読み出した識別情報に基づいて、データ記憶部２５に格納された付加的な情報を読み出し、表示データ生成手段１２に送る。
【０１１５】
なお、「車雑誌ＡＡＡ」に複数のキーワード１・２・３が対応付けられている場合、「車雑誌ＡＡＡ」のコンテンツの表示中に、裏側のページに表示する付加的な情報を切り換えることができる。例えば、表示制御手段１３は、キーワード１・２・３の読み出しを所定の時間間隔またはページ間隔で切り換えて、付加的な情報の内容を「車メーカabcの広告→アルミホイールメーカdefの広告→エンジンオイルメーカghiの広告→車メーカabcの広告」のように、循環的に切り換えてもよい。
【０１１６】
あるいは、表１に示すデータベースにおいて、「車雑誌ＡＡＡ」を「車雑誌ＡＡＡ−１」「車雑誌ＡＡＡ−２」「車雑誌ＡＡＡ−３」のように、複数ページをひとまとまりとする部分コンテンツに分割し、分割した部分コンテンツのそれぞれに、キーワードを対応付けてもよい。この場合にも、「車雑誌ＡＡＡ」のページめくり操作時に表示する付加的な情報を変化させることができる。
【０１１７】
（付加的な情報の表示処理の変形例）
なお、前述のように、コンテンツおよび付加的な情報を、情報サーバ４０から取得しても構わない。例えば、情報表示装置１がネットワーク３０を介して情報サーバ４０と通信中であり、表示画面２に、情報サーバ４０が提供するウェブページが表示されているとする。
【０１１８】
ユーザが、表示画面２に呼び出すコンテンツとして、ウェブページ上に掲載された「車雑誌ＡＡＡ」を示す項目を、入力部２３を介して指定したとする。その指定に応じて、情報サーバ４０は、「車雑誌ＡＡＡ」に対応するコンテンツを呼び出し、情報表示装置１へ送信する。それと並行して、情報サーバ４０は、被挿入情報蓄積部４１に格納された表１に示すデータベース（コンテンツ・キーワード対応テーブル）にアクセスし、「車雑誌ＡＡＡ」に対応付けられたキーワードを読み出す。
【０１１９】
次に、情報サーバ４０は、被挿入情報蓄積部４１に格納された表２に示すデータベース（付加情報・キーワード対応テーブル）にアクセスし、コンテンツ・キーワード対応テーブルから読み出したキーワードに対応付けられた付加情報の識別情報を読み出す。そして、情報サーバ４０は、読み出した識別情報に基づいて、被挿入情報蓄積部４１に格納された付加的な情報を読み出し、被挿入情報発信部４２から情報表示装置１へ送信する。
【０１２０】
（付加的な情報の表示形態の変形例）
図４を参照した上記説明では、裏側のページの表示領域に、１つの付加的な情報Ａを表示している。もちろん、表示画面２全体のサイズが手のひら程度に小さければ、表示される裏側のページの面積も小さくならざるを得ない。裏側のページの表示面積が小さければ、付加的な情報は１つしか提示できないこともあり得る。
【０１２１】
しかし、付加的な情報が、いわゆるバナー広告のように簡素化された情報であったり、付加的な情報の本体へ誘導するためのシンプルな画像（ブランドを示すロゴマーク、文字列の先頭文字）などであれば、裏側のページの表示面積が小さくても、付加的な情報の表示に支障が無い。付加的な情報がシンプルであれば、図５および図６に示すように、複数種類の付加的な情報Ｂ，ＣまたはＤ，Ｅを、その表示開始のタイミングには時差をつけながらも、最終的には同時に表示することができる。
【０１２２】
図５の場合、付加的な情報の表示モードは、拡大表示モードに設定されているので、表示面積に余裕のある位置に表示された付加的な情報Ｂは、表示面積に余裕の無い位置に表示された付加的な情報Ｃより、大きく表示されている。
【０１２３】
また、図６の場合、付加的な情報の表示モードは、順次表示モードに設定されているので、ページめくり操作の早い段階で表示された付加的な情報Ｄは、全体が表示される一方、ページめくり操作の遅い段階で表示された付加的な情報Ｅは、一部が表示された状態になっている。
【０１２４】
しかし、表示サイズの小さい付加的な情報Ｃ、および一部が表示された付加的な情報Ｅであっても、後述する付加的な情報をユーザが指定することによって、指定した付加的な情報にリンクした情報を新たに呼び出すことができる形態では、支障が無い。なぜなら、この形態の付加的な情報は、リンクした情報の案内情報の役割を果たすことができる程度で充分だからである。
【０１２５】
（付加的な情報の固定表示）
裏側のページの一部に表示された付加的な情報が、ユーザの興味を惹きつける内容であった場合、ユーザがその付加的な情報をよく確認できるように、ページめくり操作の進行および付加的な情報の表示変化を一時停止させることができると便利である。
【０１２６】
あるいは、付加的な情報がリンクした追加情報への案内情報の役割を果たしている場合にも、ページめくり操作の進行および付加的な情報の表示変化を一時停止させることによって、付加的な情報の選択を容易にすることができる。
【０１２７】
このような付加的な情報の固定表示について、その処理手順を以下に説明する。固定表示を指示するユーザの第１指示の操作は、例えば、表示画面２を指でとんと叩く「フリップ」でもよいし、ページめくり操作として表示画面２上でスライドさせていた指の動きを、表示画面２に触れたまま止める「ホールド」でもよい。ただし、上記第１指示の態様は、これらに限定されない。例えば、上記表示画面２に表示された上記第１指示を入力するためのソフトキー、または情報表示装置１に設けた上記第１指示を入力するためのハードキーを介して、上記第１指示を入力してもよい。
【０１２８】
図９の（ａ）（ｂ）は、指のスライドによるページめくり操作の開始を示し、図９の（ｃ）は、ユーザが第１指示を与えた状態を示している。
【０１２９】
この第１指示は、上記ユーザ操作検出手段１５によって検出され、表示制御手段１３に通知される。表示制御手段１３は、図７のＳ１３およびＳ１４において、入力部２３を介して、上記第１指示が入力されたかどうかを、ユーザ操作検出手段１５の検出結果に基づいて判定する（Ｓ１３）。
【０１３０】
次に、Ｓ１４において、上記第１指示の操作が「フリップ」の場合、表示制御手段１３は、付加的な情報の表示変化が一時停止するように、表示データ生成手段１２および表示部２１を制御する（Ｓ１６）。また、上記第１指示の操作が「ホールド」の場合、指を止めた時間が予め設定された基準時間を超え、かつ指が表示画面２から離れたとき（Ｓ１５）に、付加的な情報の表示をそのまま持続させる（Ｓ１６）。あるいは、指を止めた時間が基準時間を超えたときに、付加的な情報の表示をそのまま持続させる固定表示モードが開始されてもよい。
【０１３１】
図９の（ｄ）は、付加的な情報の表示をそのまま持続した表示状態を示している。
【０１３２】
なお、基準時間は、データ記憶部２５の非一時的記憶領域に格納されており、指を止めた時間と基準時間との比較は、例えば表示制御手段１３が行う。
【０１３３】
（固定表示モードの通知処理）
表示制御手段１３は、上記第１指示の検出に応じて、上記付加的な情報の表示を固定したこと、言い換えれば、固定表示モードがスタートしたことを上記報知部２６に通知する通知処理を行ってもよい。
【０１３４】
報知部２６は、上記通知処理に応じて、上記付加的な情報の表示が固定されたことを上記ユーザに報知する。報知の形態は、多様な形態から選択できる。例えば、付加的な情報の表示を点滅させたり、色またはコントラストを変えたりする視覚的手段、バイブレータの振動、スピーカーの確認音を発生させる聴覚的手段などを採用することができる。
【０１３５】
報知部２６による報知によって、ユーザは、付加的な情報の表示が固定されたこと、すなわち付加的な情報の表示が変化せずに持続する表示状態になったことを容易に確認することができる。
【０１３６】
特に、上記第１指示が、上記表示画面２にタッチしたユーザの指のスライドを止めることである場合に、報知部２６による報知によって、表示状態の遷移（非固定状態から固定状態への変化）を、ユーザは容易に確認することができる。
【０１３７】
（追加情報の表示例１）
ユーザが単に表示中の付加的な情報をよく確認したいだけの場合、付加的な情報の確認が終わった後、表示画面２を指でフリップする、または再びページめくり操作をするなどによって、表示制御手段１３は固定表示モードをキャンセルする（Ｓ１７の判定処理の一方）。
【０１３８】
また、図９の（ｅ）に示すように、固定表示された付加的な情報の上を、ユーザが指でタッチするなどの第２指示が与えられたことをユーザ操作検出手段１５を介して、表示制御手段１３が検出する（Ｓ１７の判定処理の他方）と、表示制御手段１３はデータ記憶部２５にアクセスする。すなわち、表示制御手段１３は、付加的な情報と追加情報とを対応付けてデータ記憶部２５に格納された対応情報（データテーブルなど）をサーチし、ユーザが指定した付加的な情報にリンクした追加情報をデータ記憶部２５から読み出す。
【０１３９】
あるいは、付加的な情報にリンクした追加情報がインターネット上の特定情報を示すＵＲＬであった場合には、中央制御手段１１または表示制御手段１３が、通信制御部２２を動作させ、ネットワーク３０を介して目的の情報を取得する。
【０１４０】
このように、Ｓ１７において、表示中の付加的な情報をユーザが指定した場合には、図９の（ｆ）に示すように、上記のように取得した追加情報Ｘが表示画面２に表示される（Ｓ１８）。また、Ｓ１７において、固定表示モードがキャンセルされた場合には、図９の（ｈ）に示すように、コンテンツの次のページが表示される（Ｓ１９）。
【０１４１】
なお、付加的な情報が表示されている表示画面２の領域を、ユーザが指でタッチすることは、上記第２指示の典型例であるが、この形態に限定されない。すなわち、表示中の付加的な情報を指定するユーザのあらゆる入力操作を、第２指示として採用できる。
【０１４２】
例えば、付加的な情報に含まれた文字情報をユーザが発音することによる音声入力を第２指示の一形態としてもよい。この場合には、ユーザ操作検出手段１５が、音声入力に基づいて、表示データとの比較照合が可能な音声対応データを生成し、その音声対応データが付加的な情報の表示データに含まれていることを、表示制御手段１３が検出してもよい。
【０１４３】
（追加情報の表示例２）
追加情報の表示例１では、固定表示モードを経て、追加情報を表示する形態を説明した。これに対し、図９の（ｉ）に示すように、固定表示モードを経ることなく、ページめくり操作の進行中、すなわち付加的な情報の表示が変化している途中で、ユーザの上記第２指示が与えられてもよい。この場合の第２指示は、図７のＳ２０において、表示制御手段１３によって検知され、Ｓ１８において、目的の情報が表示される。
【０１４４】
なお、上記第１指示も第２指示も入力されない場合には、通常のページめくりが実行されるので、処理は、Ｓ１３からＳ２０およびＳ２１を経て、コンテンツの次のページが表示される（Ｓ１９）。
【０１４５】
（アプリケーションの起動）
上記付加的な情報は、追加情報にリンクしているだけではなく、特定のアプリケーションに対応付けられていてもよい。
【０１４６】
この場合、Ｓ１７またはＳ２０において、表示中の付加的な情報を指定する上記第２指示が検出されると、表示制御手段１３は、上記第２指示の検出に応じて、表示中の付加的な情報を上記中央制御手段１１に通知する。データ記憶部２５には、付加的な情報とアプリケーションとを対応付けた対応情報が格納されているので、中央制御手段１１はデータ記憶部２５にアクセスして、表示制御手段１３から通知された付加的な情報に対応付けられたアプリケーションをサーチする。中央制御手段１１は、アプリケーションを特定できた場合に、そのアプリケーションを起動するように、上記アプリケーション制御手段１４に指令する。
【０１４７】
アプリケーション制御手段１４は、データ記憶部２５の非一時的記憶領域に記憶されたプログラムに従って、特定のアプリケーションを実行する。アプリケーションは、データ記憶部２５に記憶されたソフトウェアによって動作する形態でもよいし、ウェブブラウザを起動し、上記付加的な情報にリンクしたウェブサイトを閲覧したり、そのウェブサイトから必要な情報をダウンロードして、上記表示画面２に表示する（図９の（ｇ））、あるいは上記報知部２６から音声出力するなどの形態でもよい。
【０１４８】
（付加的な情報の交換処理）
情報表示装置１に格納した付加的な情報と、情報サーバ４０に格納された付加的な情報とを連携させる処理の一例として、古くなった付加的な情報を新しい付加的な情報に交換する情報表示装置１側の処理について以下に説明する。
【０１４９】
例えば、付加的な情報が期間限定の情報であり、期限が過ぎると意味が無くなる情報である場合（例えば、期間限定のキャンペーンなど）、付加的な情報の交換処理を行えるようにすることが、ユーザの利便性を高める上で好ましい。
【０１５０】
データ記憶部２５に格納した付加的な情報のデータ（以下、付加データと呼ぶ）内に、付加データの鮮度が古くなった場合に交換可能な部分（以下、交換対象データと呼ぶ）を設けておく。また、付加データの鮮度を表示制御手段１３が確認できるように、交換対象データに日時情報のような表示期限データ（特定データ）を含めておく。
【０１５１】
なお、付加データのうち、上記交換対象データを除く部分は、交換対象外の固定的データである。固定的データの一例としては、付加データを表示するコンテンツのページ位置を指定する情報、広告情報の提供元のウェブサイトを示すアドレスデータおよび取得済みの広告情報の日付より新しい広告情報を要求する指示データなどを挙げることができる。
【０１５２】
また、例えば、１つの広告の中に、鮮度が問題になる広告部分と、社名またはブランド名などのように、鮮度が問題にならない、あるいは長期間の表示によって浸透を図りたい広告部分が含まれていてもよい。この場合には、鮮度が問題になる広告部分が、上記交換対象データに対応する。
【０１５３】
表示制御手段１３は、データ記憶部２５から付加データを読み出し、表示データ生成手段１２へ送るときに、読み出した付加データの表示期限データを取り出し、例えば現在日時を示す現在日時データと比較する。この比較処理は、情報表示装置１が情報サーバ４０と通信を行う一連の処理の一部であり、この比較処理の開始が、上記一連の処理の開始を意味する。
【０１５４】
表示期限データの示す日時が、現在日時データに到達していない場合、通常どおり、既に説明した付加的な情報の表示処理が行われる。
【０１５５】
一方、表示期限データの示す日時が、現在日時データに到達した場合、または超えている場合、表示制御手段１３（または中央制御手段１１）は、通信制御部２２を介して情報サーバ４０と通信を行い、情報サーバ４０へ鮮度が古くなった付加データを通知する。情報サーバ４０は、この通知に応じて、新しい交換対象データを被挿入情報蓄積部４１から読み出し、情報表示装置１へ送信する。
【０１５６】
表示制御手段１３は、データ記憶部２５にアクセスし、古くなった交換対象データを、受信した新しい交換対象データと交換することによって、データ記憶部２５に格納された付加データを更新する。
【０１５７】
なお、コンテンツに対応付けられた付加的な情報の表示期限を示す表示期限データが、コンテンツデータに埋め込まれていてもよい。付加データは、コンテンツデータに埋め込まれていてもよいし、埋め込まれていなくてもよい。この形態では、表示制御手段１３が、データ記憶部２５に格納されたコンテンツデータを読み出したときに、表示期限データの確認を行う。
【０１５８】
その表示期限データの示す日時が、現在日時データに到達した場合、または超えている場合、表示制御手段１３（または中央制御手段１１）は、情報サーバ４０と通信を行い、情報サーバ４０へ鮮度が古くなった付加データを通知する。情報サーバ４０は、この通知に応じて、新しい交換対象データと、新しい表示期限データとを被挿入情報蓄積部４１から読み出し、情報表示装置１へ送信する。
【０１５９】
表示制御手段１３は、データ記憶部２５にアクセスし、コンテンツデータに含まれた表示期限データを更新するとともに、古くなった交換対象データを、受信した新しい交換対象データと交換することによって、データ記憶部２５に格納された付加データを更新する。
【０１６０】
なお、前記表示期限データは特定データの一例であるが、特定データの他の例として、例えば、広告情報の提供元のウェブサイトを示すアドレスデータおよび取得済みの広告情報の日付より新しい広告情報を要求する指示データなどでもよい。
【０１６１】
この場合、情報表示装置１は上記アドレスデータの示す情報サーバにアクセスし、情報サーバに上記指示データを送ることによって、取得済みの広告情報の日付より新しい広告情報が有るかどうかを情報サーバに確認させる。これにより、新しい広告情報が有る場合に、データ記憶部２５に格納された古い広告情報を更新することができる。
【０１６２】
最後に、情報表示装置１の各ブロック、特に演算処理部１０は、ハードウェアロジックによって構成してもよいし、次のようにＣＰＵを用いてソフトウェアによって実現してもよい。
【０１６３】
すなわち、情報表示装置１は、各機能を実現する制御プログラムの命令を実行するＣＰＵ、上記プログラムを格納したＲＯＭ、上記プログラムを展開するＲＡＭ、上記プログラムおよび各種データを格納するメモリ等で構成されたデータ記憶部２５、あるいは記録媒体などを備えている。
【０１６４】
そして、本発明の目的は、上述した機能を実現するソフトウェアである情報表示装置１の制御プログラムのプログラムコード（実行形式プログラム、中間コードプログラム、ソースプログラム）をコンピュータで読み取り可能に記録した記録媒体を、情報表示装置１に供給し、そのコンピュータ（またはＣＰＵやＭＰＵ）が記録媒体に記録されているプログラムコードを読み出し実行することによっても、達成可能である。
【０１６５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６６】
また、情報表示装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【０１６７】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６８】
本発明は、情報の表示機能を備えた装置全般に利用することができる。
【符号の説明】
【０１６９】
１  情報表示装置
２  表示画面
１１  中央制御手段
１３  表示制御手段（表示制御部）
１４  アプリケーション制御手段
１５  ユーザ操作検出手段（ユーザ操作検出部）
２１  表示部
２５  データ記憶部（記録媒体）
２６  報知部
４０  情報サーバ（サーバ装置）
Ａ、Ｂ，Ｃ，Ｄ，Ｅ  付加的な情報
【図１】
0005813486.tif 000004
【図２】
0005813486.tif 000005
【図３】
0005813486.tif 000006
【図４】
0005813486.tif 000007
【図５】
0005813486.tif 000008
【図６】
0005813486.tif 000009
【図７】
0005813486.tif 000010
【図８】
0005813486.tif 000011
【図９】
0005813486.tif 000012
【図１０】
0005813486.tif 000013